(57)【要約】【課題】弾性芯糸を確実に捕捉して、弾性芯糸のないコアヤーンの製造を防止する。【解決手段】  ドラフト装置３に所定量のスライバＳを供給し、このスライバＳに芯糸Ｄを合流させてコアヤーンを製造する方法において、紡績開始後の所定期間、所定量よりも多い量のスライバＳをドラフト装置３に供給してこの間に芯糸Ｄをスライバに合流させ、その後、所定量のスライバＳをドラフト装置３に供給する。好ましくは、ドラフト装置３の所定のドラフトローラの回転速度によって、ドラフト装置３に供給するスライバＳの量を変更する。【選択図】図４
2006328577.tif 000002
【特許請求の範囲】
【請求項１】
ドラフト装置に所定量のスライバを供給し、このスライバに芯糸を合流させてコアヤーンを製造する方法において、紡績開始後の所定期間、前記所定量よりも多い量のスライバをドラフト装置に供給してこの間に芯糸をスライバに合流させ、その後、前記所定量のスライバをドラフト装置に供給することを特徴とするコアヤーンの製造方法。
【請求項２】
前記ドラフト装置の所定のドラフトローラの回転速度によって、ドラフト装置に供給するスライバの量を変更することを特徴とする請求項１に記載のコアヤーンの製造方法。
【請求項３】
ドラフト装置に所定量のスライバを供給し、このスライバに芯糸を合流させてコアヤーンを製造する装置において、前記ドラフト装置に供給するスライバの量を変更する手段と、この変更のタイミングを制御する手段とを備え、前記制御手段によって、紡績開始後の所定期間、前記所定量よりも多い量のスライバをドラフト装置に供給してこの間に芯糸をスライバに合流させ、その後、前記所定量のスライバをドラフト装置に供給することを特徴とするコアヤーンの製造装置。
【請求項４】
前記変更手段が、前記ドラフト装置の所定のドラフトローラの回転速度を調整してなることを特徴とする請求項３に記載のコアヤーンの製造装置。
【発明の詳細な説明】
【技術分野】
【０００１】
本発明は、コアヤーンの芯糸を確実に存在させるようにするコアヤーンの製造方法及び装置に関する。
【背景技術】
【０００２】
繊維束内に弾性芯糸が配されたコアヤーンを製造する装置として、例えば特許文献１のコアヤーン製造装置がある。この製造装置によれば、弾性芯糸供給装置から供給される弾性糸を芯糸とし、ドラフト装置でドラフトされた繊維束をカバーリング繊維として、紡績装置で空気紡績を行うことによりコアヤーンを製造している。そして、弾性芯糸供給装置には、エアサッカー装置が備えられており、このエアサッカー装置から噴射される高圧エアによって、弾性芯糸を繊維束に合流させるよう構成されている。
【０００３】
しかし、上記のコアヤーン製造装置で、細番手のコアヤーンを製造する場合、ドラフト装置に供給されるスライバ量が少ないので、繊維束の幅が狭く、又エアサッカー装置からの高圧エアの影響で、ドラフト装置の繊維束が乱れ、芯糸供給装置からの芯糸を繊維束が捕捉できず合流しない場合がある。これにより、芯糸がフロントボトムローラに巻き付いてしまい（いわゆるボトムラップ）、芯糸のない糸がパッケージに巻き取られてしまうことが多々ある。
【特許文献１】特開２００２−３６３８３４号公報（図４、エアサッカー装置５８、段落番号００３５）
【発明の開示】
【発明が解決しようとする課題】
【０００４】
本発明が解決しようとする課題は、前記した事情に鑑みてなされたものであって、繊維束が弾性芯糸供給装置からの弾性芯糸を確実に捕捉することができ、コア無し紡出の頻度の軽減を図るようにしたコアヤーンの製造方法及び装置を提供することにある。
【課題を解決するための手段】
【０００５】
前記した課題を解決するために、本発明に係るコアヤーンの製造方法は、ドラフト装置に所定量のスライバを供給し、このスライバに芯糸を合流させてコアヤーンを製造する方法において、紡績開始後の所定期間、所定量よりも多い量のスライバをドラフト装置に供給してこの間に芯糸をスライバに合流させ、その後、所定量のスライバをドラフト装置に供給する。
【０００６】
そして、本発明に係るコアヤーンの製造装置は、ドラフト装置に所定量のスライバを供給し、このスライバに芯糸を合流させてコアヤーンを製造する装置において、ドラフト装置に供給するスライバの量を変更する手段と、この変更のタイミングを制御する手段とを備え、制御手段によって、紡績開始後の所定期間、所定量よりも多い量のスライバをドラフト装置に供給してこの間に芯糸をスライバに合流させ、その後、所定量のスライバをドラフト装置に供給する。
【０００７】
好ましくは、前記ドラフト装置の所定のドラフトローラの回転速度によって、ドラフト装置に供給するスライバの量を変更する。
【発明の効果】
【０００８】
前記したように、細番手のコアヤーン等を製造するとき、紡績開始後の所定期間、ドラフト装置に供給するスライバの量を多くする。このように、スライバの量を多くすることで、エアサッカー装置の高圧エアーによる繊維束の乱れを減少することができ、更にドラフト装置の繊維束の幅を広くすることができる。これにより、芯糸供給装置からの芯糸は、繊維束に確実に捕捉され合流することになる。従って、細番手のコアヤーン等を製造する場合であっても、芯糸のないコアヤーンの巻取りを確実に防止することができる。
【０００９】
又、ドラフト装置の所定のドラフトローラの回転速度を調整して、ドラフト装置に供給するスライバの量を変更するようにする。例えば、コアヤーン紡績機のバックローラ及びサードローラは、紡績ユニット毎に速度調整できるので、所定の紡績ユニットで糸継ぎするときでも、紡績開始後の所定期間だけ、簡単にスライバの供給量を変更できる。
【発明を実施するための最良の形態】
【００１０】
以下、添付図面に基づいて、本発明に係るコアヤーンの製造方法及び装置について詳細に説明する。
【００１１】
図１は、コアヤーン紡績機を示す全体正面図である。図２は、図１の一部断面側面図である。コアヤーン紡績機は、原動機ボックス１０とダストボックス１１との間に、多数の紡績ユニット（糸処理ユニット）１，１，１・・・が並設されている。更に、このコアヤーン紡績機は、各紡績ユニット１，１，１・・・に沿うレール１４が設けられており、このレール１４を糸継ぎ台車９が左右方向に往復走行可能なよう構成されている。そして、この糸継ぎ台車９は、糸継ぎを要求する紡績ユニット１に走行、停止して、糸継ぎ作業を行う。
【００１２】
各紡績ユニット１は、ドラフト装置３、弾性芯糸供給装置２、紡績装置４、糸送り装置５及び巻取り装置８を備えている。ドラフト装置３は、バックローラ３１、サードローラ３２、ミドルローラ３３及びフロントローラ３４を有している。弾性芯糸供給装置２は、弾性芯糸パッケージ２１等を有している。紡績装置４は、空気噴射ノズル等を有しており、巻取り装置８は、巻取りパッケージ８１等を備えている。
【００１３】
機台１５の背部に設けられたスライバケンス（図示略）から引き出されたスライバＳが、バックローラ３１へ供給され、ドラフト装置３によってドラフト（延伸）される。そして、ドラフト装置３におけるミドルローラ３３とフロントローラ３４との間の繊維束に、弾性芯糸供給装置２からの弾性芯糸Ｄが合流する。紡績装置４によって、この繊維束に圧縮空気の旋回気流を作用させて紡績して、スライバＳをカバーリング繊維とし、弾性芯糸Ｄを芯糸とする、コアヤーンＣを生成する。
【００１４】
紡績装置４から送出されたコアヤーンＣは、糸送り装置５によって下方に送られ、糸の欠点を除去するためのカッター装置６、糸欠点を検出するスラブキャッチャ（糸欠点検出器）７を経て、巻取り装置８によって巻取りパッケージ８１に巻き取られる。スラブキャッチャ７は、糸の太さムラ欠陥を検出する機能や、糸に混入した異物を検出する機能等を有する。
【００１５】
糸送り装置５は、デリベリローラ５１と、このデリベリローラ５１に接触するように設けられたニップローラ５２とからなる。紡績装置４から送出されたコアヤーンＣは、デリベリローラ５１とニップローラ５２との間に挟まれて、デリベリローラ５１の回転駆動によって下方へ送られる。
【００１６】
弾性芯糸供給装置２は、弾性芯糸パッケージ２１を有しており、この弾性芯糸パッケージ２１の周面に接触して回転する回転ローラ２２を有している。この回転ローラ２２は、ベルト２３を介して駆動モータ２４の駆動によって回転する。そして、弾性芯糸パッケージ２１は、クレードルアーム２５によって回転自在に支持されている。
【００１７】
回転ローラ２２の回転を受けて、弾性芯糸パッケージ２１から解舒された弾性芯糸Ｄは、エアサッカー装置２６の高圧エアの噴射によって、供給ガイド筒２７を通過する。そして、弾性芯糸Ｄは、供給ガイド筒２７からフロントローラ３４のやや上流側の位置へ供給され、ドラフト装置３の繊維束に合流して紡績装置４へ導入される。
【００１８】
糸送り装置５のデリベリローラ５１の回転速度は、弾性芯糸供給装置２の回転ローラ２２の回転速度よりも大きく設定されており、これにより、弾性芯糸Ｄは引き伸ばされた状態（例えば３倍に）で、紡績されるよう構成されている。
【００１９】
糸継ぎ台車９は、供給側となる紡績装置４から連続的に供給されるコアヤーンＣを吸引捕捉するサンクションパイプ（供給側糸端捕捉手段）９１と、巻取りパッケージ８１のコアヤーンＣを吸引捕捉するサクションマウス（巻取り側糸端捕捉手段）９２と、このサクションパイプ９１とサクションマウス９２とが捕捉した各コアヤーンＣを繋ぐための糸継ぎ装置９３と、を備えている。サクションパイプ９１及びサクションマウス９２の端部は、吸引流発生源（図示省略）によって吸引空気流が発生しており、糸端を吸引、捕捉する。糸継ぎ装置９３は、図示しないクランプ部材、カッタ部材、スプライサ等で構成されている。
【００２０】
次に、スラブキャッチャによって糸欠点を検出した際の、糸欠点を除去して糸継ぎする動作について説明する。図３は、糸継ぎ動作等を説明するためのフローチャート図である。図４は、繊維束と芯糸との合流点付近を示す概略斜視図である。
【００２１】
カッター装置６及びスラブキャッチャ７は、機台１５の正面側に設けられており、紡績装置４から紡出されたコアヤーンＣを通過させるようになっている。そして、スラブキャッチャ７によって、走行するコアヤーンＣの糸欠点を検知可能なよう構成されている。
【００２２】
スラブキャッチャ７は、コアヤーンＣの糸欠点を検知したとき、紡績ユニットコントローラ１３へ信号を送る（Ｓ２）。この信号により、コアヤーンＣの糸欠点を除去すると共に、次の糸継ぎ動作を開始する。
【００２３】
この信号を受信した紡績ユニットコントローラ１３は、直ちにカッター装置６を作動させてコアヤーンＣを切断すると共に、ドラフト装置３、弾性芯糸供給装置２及び紡績装置４を一旦停止する（Ｓ３）。そして、糸継ぎ台車９は、該当する紡績ユニット１の前まで自走する。その後、紡績ユニットコントローラ１３が、ドラフト装置３、弾性芯糸供給装置２及び紡績装置４を再駆動する（Ｓ４）。
【００２４】
その際、紡績ユニットコントローラ１３は、バックローラ３１及びサードローラ３２を駆動する駆動モータ３５を制御して、バックローラ３１及びサードローラ３２の回転速度を速くする。これにより、巻取り時よりもドラフト装置３へのスライバＳの供給量を多くし、所定期間、太番手化したコアヤーンＣを紡出する（Ｓ５）。
【００２５】
このように、糸継ぎ時における紡績開始後の所定期間において、バックローラ３１及びサードローラ３２の回転速度を速くすることによって、図４に示すように、ドラフト装置３におけるミドルローラ３３とフロントローラ３４との間にあるスライバＳの量が増加する。これに伴って、エアサッカー装置２６の高圧エアによる乱れが少なくなり、ミドルローラ３３とフロントローラ３４との間の繊維束の幅Ｗも広くなる。そして、この繊維束の幅Ｗが広くなることにより、弾性芯糸供給装置２からの弾性芯糸Ｄが、フロントローラ３４上流側の繊維束に合流し易くなり、芯糸の供給ミスが少なくなり、芯糸のないコアヤーンＣの製造を減少させることができる。
【００２６】
そして、サクションパイプ９１を上方へ旋回させ、サクションパイプ９１の端部にコアヤーンＣの糸端を吸引把持させ、下方へ振り下ろす。糸継ぎ前に、バックローラ３１及びサードローラ３２の回転速度を元に戻して糸太さを元に戻した後（Ｓ６）、サクションパイプ９１の吸引力を弱めて、コアヤーンＣを弛ませることにより、糸縮みが生じて糸太さが通常時の糸太さよりも太くなることを利用して、スラブキャッチャー７によりコアヤーンＣの芯糸Ｄの有無を検知する（Ｓ７）。
【００２７】
弾性芯糸Ｄが入っている正常なコアヤーンＣであると判定した場合には、糸継ぎ台車９は、サクションパイプ９１、サクションマウス９２及び糸継ぎ装置９３を操作して、所定の糸継ぎ動作を行うことにより、糸欠点を除去すると共に、紡出側のコアヤーンＣと、巻取りパッケージ８１側のコアヤーンＣとを糸継ぎする（Ｓ８）。そして、通常太さの所定番手のコアヤーンＣを製造する（Ｓ１）。
【００２８】
それに対して、弾性芯糸Ｄの入っていない不良なコアヤーンＣであると判定した場合には、スラブキャッチャー７が、その信号を紡績ユニットコントローラ１３へ送る。この信号を受信した紡績ユニットコントローラ１３は、直ちにカッター装置６で不良コアヤーンを切断し、再び前記と同様の作業を行う（Ｓ３〜Ｓ６）。又、異常を報知し停止して、オペレータが手動で異常を取り除いても良い。そして、正常コアヤーンＣであると判定した後、紡出側のコアヤーンＣと、巻取りパッケージ８１側のコアヤーンＣとを糸継ぎし（Ｓ８）、通常太さの所定番手のコアヤーンＣを製造する（Ｓ１）。
なお、上記の実施例は、芯糸Ｄは弾性糸であるが、フィラメントの芯糸でも本発明を適用することができる。
【図面の簡単な説明】
【００２９】
【図１】コアヤーン紡績機を示す全体正面図である。
【図２】図１の一部断面側面図である。
【図３】糸継ぎ動作等を説明するためのフローチャート図である。
【図４】繊維束と芯糸との合流点付近を示す概略斜視図である。
【符号の説明】
【００３０】
１．紡績ユニット
２．弾性芯糸供給装置
２１．弾性芯糸パッケージ
２４．駆動モータ
３．ドラフト装置
３１．バックローラ
３２．サードローラ
３３．ミドルローラ
３４．フロントローラ
６．カッター装置
７．スラブキャッチャ（芯糸有無判定装置）
９．糸継ぎ台車
９１．供給側糸端捕捉手段（サクションパイプ）
９２．巻取り側糸端捕捉手段（サクションマウス）
９３．糸継ぎ装置
Ｓ．スライバ
Ｄ．弾性芯糸
Ｃ．コアヤーン
【図１】
2006328577.tif 000003
【図２】
2006328577.tif 000004
【図３】
2006328577.tif 000005
【図４】
2006328577.tif 000006